(57)【要約】【課題】  注射薬を注射器本体内に予め装填しておくようにした注射器において、製造時にピストンがシリンダーから突出した状態とならないようにすると共に、液漏れを防ぐ。【解決手段】  ピストン１２を中空円筒状に構成する。ピストン１２の先端１２ａに開口１５を設け、この開口１５に弁体１６を設ける。弁体１６は、注射液２０の流れを、ピストン１２からシリンダー１１への一方向に制限する。製造時に、ピストン１２全体をシリンダー内に挿入し、ピストン１２内に注射液２０を封入し、栓体１７を取り付けて密閉状態とする。使用時に、栓体１７を外して、ピストン１２の密閉状態を解除し、ピストン１２をシリンダー１１から引き出し、ピストン１２内からシリンダー１１内に注射液２０を移動させる。【選択図】        図４
0003114128.tif 000002
【実用新案登録請求の範囲】
【請求項１】
その先端に 注射液吐出部が設けられる中空円筒状のシリンダーと、
前記注射液吐出部を密閉するためのカバーと、
前記シリンダーに摺動自在に挿入される中空円筒状のピストンと、
前記ピストンの先端壁に設けられる開口と、
前記開口を介して流れる注射液の流れを、前記ピストンから前記シリンダーへの一方向に制限する弁体と、
前記ピストン内を密閉するための栓体とからなり、
製造時に、前記ピストン全体を前記シリンダー内に挿入し、前記ピストン内に注射液を封入して密閉状態としておき、
使用時に、前記ピストンの密閉状態を解除し、前記ピストンを前記シリンダーから引き出し、前記ピストン内から前記シリンダー内に前記注射液を移動させる
ようにしたことを特徴とする注射器。
【請求項２】
前記ピストンの外周にリングを設けるようにしたことを特徴とする請求項１に記載の注射器。
【請求項３】
前記栓体は、前記ピストンの後縁の開口部に螺合するようにしたことを特徴とする請求項１に記載の注射器。
【請求項４】
前記栓体の軸部に軸方向の溝部を設けると共に、前記ピストンの後端の開口部に溝部を設け、前記栓体の軸部の溝部と前記開口部の溝部とが揃うように前記栓体を回転させて、前記ピストンの密閉状態を解除するようにしたことを特徴とする請求項３に記載の注射器。
【考案の詳細な説明】
【技術分野】
【０００１】
本考案は、注射薬を人体に注射するのに用いられる注射器に関するもので、特に、予め注射器本体内に注射薬を封入しておくようにした注射器に関する。
【背景技術】
【０００２】
従来の注射器は、シリンダーと、このシリンダーに摺動自在に挿入されるピストンとからなり、患者に注射を行う際に、ピストンを引き抜いて注射薬を薬品容器からシリンダー内に吸引し、ピストンを押し下げてシリンダー内の注射液を患者の体内に注射するようにしている。
【０００３】
ところが、このような従来の注射器では、薬品容器から注射器のシリンダー内に注射薬を吸引する際に、異物混入による汚染の危険性がある。また、注射の際に注射薬をその都度吸引する必要があり、非能率的である。そこで、従来から注射薬を注射器本体内に予め装填しておくようにした注射器が使われ始めている。
【０００４】
このように注射薬を注射器本体内に予め装填しておくようにした注射器としては、例えば特許文献１〜特許文献３に示されるように、種々のものが提案されている。
【０００５】
特許文献１のものは、２つの注射液を予め充填しておくもので、長時間たっても２つの注射液は混合しない注射器である。特許文献２のものは、一方の注射器を、もう一方の注射器に挿入して使用する組み立て式の注射器である。特許文献３のものは、注射液をいったんシリンダーに入れた後にピストンに充填した注射器であって、薬剤内、若しくは、注射器内に残留した空気が膨張してもシール性が損なわれない構造の注射器である。
【特許文献１】特許第２５８６８８３号明細書
【特許文献２】特許第３３３８７６４号明細書
【特許文献３】特開２００１−５８００７号公報
【考案の開示】
【考案が解決しようとする課題】
【０００６】
しかしながら、注射薬を注射器本体内に予め装填しておくようにした従来の注射器は、何れも、図１０に示すように、シリンダー１０１内に注射液１０３を封入してピストン１０２を装着し、ピストン１０２を挿入位置で固定するものである。このため、製造時には、ピストン１０２シリンダー１０１から突出した状態となる。
【０００７】
このように、ピストン１０２がシリンダー１０１から突出した状態では、注射器全体の長さが長くなり、輸送や保存の際の障害になるという問題がある。また、このような従来の注射器では、通常、ピストン１０２を挿入位置で固定するようにストッパを設けている。ところが、このストッパが外れると、ピストン１０２が押されシリンダー１０１内の注射液１０３が外に排出される可能性があり、液漏れの原因となる。
【０００８】
本考案は、上述の課題を鑑み、注射薬を注射器本体内に予め装填しておくようにした注射器において、製造時にピストンがシリンダーから突出した状態とならず、輸送や保存に便利であると共に、液漏れを防ぐことができるようにした注射器を提供することを目的とする。
【課題を解決するための手段】
【０００９】
上述の課題を解決するために、本考案に係る注射器は、その先端に注射液吐出部が設けられる中空円筒状のシリンダーと、注射液吐出部を密閉するためのカバーと、シリンダーに摺動自在に挿入される中空円筒状のピストンと、ピストンの先端壁に設けられる開口と、開口を介して流れる注射液の流れを、ピストンからシリンダーへの一方向に制限する弁体と、ピストン内を密閉するための栓体とからなり、製造時に、ピストン全体をシリンダー内に挿入し、ピストン内に注射液を封入して密閉状態としておき、使用時に、ピストンの密閉状態を解除し、ピストンをシリンダーから引き出し、ピストン内からシリンダー内に注射液を移動させるようにしたことを特徴とする。
【００１０】
好ましくは、ピストンの外周にリングを設けるようにしたことを特徴とする。
【００１１】
好ましくは、栓体は、ピストンの後縁の開口部に螺合するようにしたことを特徴とする。
【００１２】
好ましくは、栓体の軸部に軸方向の溝部を設けると共に、ピストンの後端の開口部に溝部を設け、栓体の軸部の溝部と開口部の溝部とが揃うように栓体を回転させて、ピストンの密閉状態を解除するようにしたことを特徴とする。
【考案の効果】
【００１３】
本考案によれば、その先端に 注射液吐出部が設けられる中空円筒状のシリンダーと、シリンダーに摺動自在に挿入される中空円筒状のピストンと、注射液吐出部を密閉するためのカバーと、ピストンの先端壁に設けられる開口と、開口を介して流れる注射液の流れを、ピストンからシリンダーへの一方向に制限する弁体と、ピストン内を密閉するための栓体とからなり、製造時に、ピストン全体をシリンダー内に挿入し、ピストン内に注射液を封入して密閉状態としておき、使用時に、ピストンの密閉状態を解除し、ピストンをシリンダーから引き出し、ピストン内からシリンダー内に注射液を移動させるようにしている。このため、製造時には、シリンダー内にピストン全体が収納され、輸送や保存の際に、ピストン１２が突出しない。また、ピストンが押されるだけでは、シリンダー内の注射液が外に排出されることはなく、輸送や保存時の液漏れが防げる。
【００１４】
また、本考案によれば、シリンダーの外周にリングを設けるようにしているので、シリンダーとピストンとの気密が保てる。
【００１５】
また、本考案によれば、栓体は、ピストンの後縁の開口部に螺合するようにしているので、栓体を回転させることで、製造時に、ピストン内に栓体を取り付け、また、使用時に栓体を外し又は栓体を緩めることができる。
【００１６】
また、本考案によれば、栓体の軸部に軸方向の溝部を設けると共に、ピストンの後端の開口部に溝部を設け、栓体の軸部の溝部と開口部の溝部とが揃うように栓体を回転させて、ピストンの密閉状態を解除するようにしている。このため、使用時に、栓体を回転させるだけで、ピストンの密閉状態を解除することができる。
【考案を実施するための最良の形態】
【００１７】
第１実施形態．
以下、本考案の実施の形態について図面を参照しながら説明する。図１は、本考案の第１実施形態の構成を示すものである。図１に示すように、本考案の第１実施形態の注射器１は、シリンダー１１と、シリンダー１１内に摺動自在に挿入されるピストン１２とからなる。シリンダー１１及びピストン１２は、例えば合成樹脂又はガラスで形成される。
【００１８】
シリンダー１１は中空円筒形状であり、その先端１１ａには、注射液吐出部１３が設けられる。シリンダー１１の後端１１ｂは開口になっており、シリンダー１１の後端１１ｂの周縁に、フランジ部１４が形成される。
【００１９】
ピストン１２は、中空円筒形状であり、その先端１２ａには、開口１５が設けられる。この開口１５に対して、弁体１６が取り付けられる。また、ピストン１２の後端１２ｂには開口１８が設けられる。この開口１８には、栓体１７が取り付けられる。
【００２０】
図２は、開口１５に取り付けられる弁体１６の動作を示すものである。後に説明するように、製造時には、ピストン１２内に注射液が封入され、使用時には、ピストン１２の内部からの注射液をシリンダー１１に、開口１５を介して注射液が移動する。
【００２１】
図２（Ａ）に示すように、ピストン１２を矢印Ｙ方向に引き出すと、注射液はピストン１２からシリンダー１１の矢印Ｘ方向に開口１５を介して流れるので、弁体１６は開状態となる。これに対して、図２（Ｂ）に示すように、ピストン１２を矢印Ｙ方向に押すと、シリンダー１１内の液体は弁体１６を押し、弁体１６は閉状態となる。したがって、開口１５を介して流れる注射液の流れは、一方向のみに制限される。
【００２２】
製造時には、図３（Ａ）に示すように、シリンダー１１内にピストン１２の全体を挿入し、シリンダー１１の先端の注射液吐出部１３にカバー２２を取り付け、注射液吐出部１３を密閉する。そして、ピストン１２の後端１２ｂの開口１８からピストン１２内に、注射液２０を矢印Ｘのように封入する。ピストン１２の内部に注射液２０を封入したら、図３（Ｂ）に示すように、開口１８に、例えばゴム製の栓体１７を取り付け、ピストン１２を密閉状態に保つ。
【００２３】
使用時には、図４（Ａ）に示すように、ピストン１２の後端１２ｂから栓体１７を外し、図４（Ｂ）に示すように、ピストン１２を矢印Ｙの方向に引き抜く。
【００２４】
次に、図４（Ｂ）に示すように、ピストン１２を矢印Ｙ方向に引き抜くと、これにより、ピストン１２内の注射液２０はピストン１２からシリンダー１１に向けて矢印Ｘ方向に押し出される。このとき、開口１５を介して流れる注射液２０の流れは、矢印Ｘ方向であるため、弁体１６は開状態となる。したがって、最終的に、ピストン１２の内部に封入されていた注射液２０は、開口１５を介して、シリンダー１１内に移動する。
【００２５】
ピストン１２内の注射液２０がシリンダー１１内に移動したら、図４（Ｃ）に示すように、シリンダー１１の注射液吐出部１３に、針２１を取り付ける。
【００２６】
次に、そして、図４（Ｄ）に示すように、ピストン１２を矢印Ｙ方向に押し下げると、シリンダー１１内の注射液２０は、ピストン１２により押し出され、注射液吐出部１３を介して、針２１の先端から矢印Ｘで示すように吐出される。このとき、シリンダー１１内の注射液２０は弁体１６を閉状態とするため、シリンダー１１内の注射液は、開口１５を介してピストン１２内に流れることはない。
【００２７】
以上説明したように、本考案の第１実施形態の注射器１では、ピストン１２を中空円筒状に形成しておき、製造時に、ピストン１２の内部に注射液２０を封入し、使用時に、ピストン１２からシリンダー１１に注射液２０を移動させるようにしている。
【００２８】
このように、本考案の第１実施形態では、製造時にシリンダー１１内にピストン１２全体が収納され、ピストン１２内に注射液２０が封入される。このため、製造時には、シリンダー１１からピストン１２が突出しない。また、ピストン１２は密閉されており、輸送や保存時にピストン１２が動かされても、注射液２０は外に排出される危険性はない。
【００２９】
第２実施形態．
図５は、本考案の第２実施形態を示すものである。この実施形態では、ピストン１２とシリンダー１１との間に、例えばゴム製のリング３１ａ、３１ｂを設けるようにしている。
【００３０】
つまり、本考案では、注射時に、シリンダー１１内の注射液２０をピストン１２により押し出して、注射液吐出部１３を介して、針２１の先端から吐出させている。したがって、ピストン１２とシリンダー１１との間は、気密を保つ必要がある。
【００３１】
そこで、この実施形態では、リング３１ａ、３１ｂを設けることにより、ピストン１２とシリンダー１１との間を密閉するようにしている。他の構成については、前述の第１実施形態と同様であり、その説明を省略する。
【００３２】
第３実施形態．
図６は、本考案の第３実施形態を示すものである。前述の第１実施形態では、製造時に、ピストン１２内に注射液２０を封入した後に、ピストン１２の後端１２ｂの開口１８に、例えばゴム製の栓体１７を取り付けてピストン１２を密閉し、使用時に、栓体１７を取り外してピストン１２の密閉状態を解除するようにしている。しかしながら、使用時に栓体１７を取り外す作業は困難である。
【００３３】
そこで、この実施形態では、図６に示すように、ピストン１２の後端１２ｂの開口１８に栓体１７を螺合するようにしている。このように、開口１８に栓体１７を螺合すると、使用時に、栓体１７を回転させることで、栓体１７を簡単に取り外すことができる。
【００３４】
つまり、図６に示すように、栓体１７は、螺刻された軸部４１と、フランジ部４２とから構成される。製造時には、栓体１７の軸部４１を開口１８に挿入し、フランジ部４２を回して、軸部４１が開口１８に螺合する。使用時には、フランジ部４２を反対方向に回転し、栓体１７を取り外す。このように、開口１８に栓体１７を螺合すると、ピストン１２を確実に密閉できると共に、ピストン１２の密閉を簡単に解除できる。他の構成については、前述の第１実施形態と同様であり、その説明を省略する。
【００３５】
第４実施形態．
図７は、本考案の第４実施形態を示すものである。前述の第１及び第３実施形態では、使用時に、栓体１７を取り外してピストン１２の密閉状態を解除するようにしているが、使用時に、ピストン１２の密閉状態を解除できれば、栓体１７を取り外す必要はない。そこで、この実施形態では、使用時には、栓体１７を緩めて、ピストン１２の密閉状態を解除するようにしている。
【００３６】
つまり、この実施形態では、図７に示すように、前述の第３実施形態において、栓体１７の軸部４１に、軸方向に溝部４５を設け、また、開口１８に溝部４６を設けるようにしている。使用時には、軸部４１の溝部４５と、開口１８の溝部４６とが揃うように、栓体１７を回転させる。このように、栓体１７を回転させると、溝部４５及び溝部４６とにより隙間が生じて、密閉状態が解除される。したがって、この実施形態では、使用時に栓体１７を取り外す必要はなく、溝部４５及び溝部４６とが揃うように、栓体１７を回転させるだけで、ピストン１２の密閉状態を解除できる。他の構成については、前述の第３実施形態と同様であり、その説明を省略する。
【００３７】
なお、第１実施形態から第４実施形態においてはピストン１２の内部に封入される液体は注射液を例に説明したが、この液体は注射液に限らず、洗浄液、接着剤、オイル等の液体であっても良い。
【００３８】
第５実施形態．
第５実施形態においては、注射液の代わりに洗浄液、接着剤、オイル等の液体を用いて、ピストン１２の内部に封入する液体を使用するだけ小出しにシリンダー１１に移して、液体の一部をピストン１２中に残しておき、次に使用するときに、ピストン１２中に残った液体をシリンダー１１に移して使用する例について述べる。
【００３９】
図８、図９は、本考案の第５実施形態の説明に用いる断面図である。第５実施形態においては、注射器１を液体射出器５０、注射液吐出部１３を液体吐出部５３，注射液２０を液体５４と変更してある。
【００４０】
製造時には、図８（Ａ）に示すように、シリンダー１１内にピストン１２全体を挿入し、シリンダー１１の先端の液体吐出部５３にカバー２２を取り付け、液体吐出部５３を密閉する。そして、ピストン１２の後端１２ｂの開口１８からピストン１２内に、液体５４を矢印Xのように封入する。ピストン１２の内部に液体５４を封入したら、図８（Ｂ）に示すように、開口１８に、例えばゴム製の栓体１７を取り付け、ピストン１２を密閉状態に保つ。
【００４１】
使用時には、図８（Ｃ）に示すように、ピストン１２の後端１２ｂから栓体１７を外し、図８（Ｄ）に示すように、ピストン１２を矢印Ｙ方向に引き抜く。
【００４２】
ピストン１２を矢印Ｙ方向に引き抜くと、シリンダー１１の内圧が下がり、ピストン１２の内部に封入されていた液体５４は矢印Ｘのようにシリンダー１１に向かって流れる。
【００４３】
図９（Ｅ）は、図８（Ｄ）において、シリンダー１１中の液体を外部に吐出させ、栓体１７を挿入して、次の使用を待っている状態を示す図である。
【００４４】
次に液体射出器５０を使用するときには、図９（Ｆ）に示すように、栓体１７を外すと、ピストン１２の密閉状態が解除され、ピストン１２内に空気が入る。
【００４５】
次に、図９（Ｇ）に示すように、ピストン１２を矢印Ｙ方向に引き抜くと、ピストン１２内の液体５４はピストン１２からシリンダー１１の矢印Ｘ方向に押し出される。このとき、開口１５を介して流れる液体５４の流れは、矢印Ｘ方向となるため、弁体１６は開状態となる。したがって、図９（Ｇ）に示すように、ピストン１２の内部に封入されていた液体５４は、開口１５を介して、シリンダー１１内に移動する。
【００４６】
ピストン１２内の液体５４がシリンダー１１内に移動したら、図９（Ｈ）に示すように、シリンダー１１の先端のカバー２２を外し、ピストン１２を矢印Ｙの方向に押し下げると液体５４は、矢印Ｘで示すようにシリンダー１１の液体吐出部５３から吐出される。
【００４７】
このとき、シリンダー１１内の液体５４は弁体１６を閉状態とするため、シリンダー１１内の液体５４は、開口１５を介してピストン１２内に流れることはない。
【００４８】
以上説明したように、本考案の第５実施形態の液体射出器５０では、ピストン１２を中空円筒状に形成しておき、製造時に、ピストン１２の内部に液体５４を封入し、液体射出器の使用時に、ピストン１２の内部に封入された液体５４を小出しにシリンダー１１に移して、液体の一部をピストン１２中に残しておき、次に液体射出器を用するときに、ピストン１２中に残った液体をシリンダー１１に移して使用することができる。
【００４９】
本考案は、上述した実施形態に限定されるものではなく、この考案の要旨を逸脱しない範囲内で様々な変形や応用が可能である。
【産業上の利用可能性】
【００５０】
本考案は、人体等に薬剤や栄養剤等を注射するのに用いられる注射器として広く利用可能である。
【図面の簡単な説明】
【００５１】
【図１】本考案の第１実施形態の構成を示す断面図である。
【図２】本考案の第１実施形態における弁体の説明に用いる断面図である。
【図３】本考案の第１実施形態の製造時の説明に用いる断面図である。
【図４】本考案の第１実施形態の使用時の説明に用いる断面図である。
【図５】本考案の第２実施形態の説明に用いる断面図である。
【図６】本考案の第３実施形態の説明に用いる断面図である。
【図７】本考案の第４実施形態の説明に用いる分解斜視図である。
【図８】本考案の第５実施形態の説明に用いる断面図である。
【図９】本考案の第５実施形態の説明に用いる断面図である。
【図１０】注射薬を注射器本体内に予め装填しておくようにした従来の注射器の説明図である。
【符号の説明】
【００５２】
１  注射器
１１  シリンダー
１２  ピストン
１３  注射液吐出部
１４  フランジ部
１５  開口
１６  弁体
１７  栓体
１８  開口
２０  注射液
２１  針
２２  カバー
３１ａ、３１ｂ  リング
４１  軸部
４２  フランジ部
４５  溝部
４６  溝部
５０  液体射出器
５３  液体吐出部
５４  液体
【図１】
0003114128.tif 000003
【図２】
0003114128.tif 000004
【図３】
0003114128.tif 000005
【図４】
0003114128.tif 000006
【図５】
0003114128.tif 000007
【図６】
0003114128.tif 000008
【図７】
0003114128.tif 000009
【図８】
0003114128.tif 000010
【図９】
0003114128.tif 000011
【図１０】
0003114128.tif 000012